(57)【要約】【課題】綿棒やティッシュペーパなどに自然な毛細管力で吸収できる分量の内溶液を容易に含浸させることができる液体容器を提供する。【解決手段】内溶液２を収容するタンク３と、前記タンク３内部と外部とを連通する開口部５と、前記タンク３内部から前記開口部５に亘り連続的に配設されて該タンク３内の内溶液２を前記開口部５付近まで毛細管力により吸い上げることができる液体誘導体６と、前記タンク３内部と外部とを通気する通気孔８と、前記タンク３内の内溶液２の揮発を防止するキャップ７と、前記開口部５付近に内溶液２を貯溜するための凹んだ液体少量供給部２０とを有し、前記液体誘導体６から前記液体少量供給部２０に内溶液２を誘導して、常に前記液体少量供給部２０に内溶液２を貯溜することを特徴とするものとする。【選択図】　　　　　図１
2004010154.tif 000002
【特許請求の範囲】
【請求項１】
液体を収容するタンクと、
前記タンク内部と外部とを連通する開口部と、
前記タンク内部から前記開口部に亘り連続的に配設されて該タンク内の液体を前記開口部付近まで毛細管力により吸い上げることができる液体誘導体と、
前記タンク内部と外部とを通気する通気孔と、
前記タンク内の液体の揮発を防止するキャップと、
前記開口部付近に液体を貯溜するための凹んだ液体少量供給部とを有し、
前記液体誘導体から前記液体少量供給部に液体を誘導して、常に前記液体少量供給部に液体を貯溜することを特徴とする液体容器。
【請求項２】
前記液体少量供給部は、前記液体誘導体の毛細管力よりも小さい毛細管力で貯溜した液体を保持することを特徴とする請求項１に記載の液体容器。
【請求項３】
前記液体少量供給部は、その周縁部に前記液体誘導体の軸線方向に対し略垂直方向に凹んだ隙間部を有することを特徴とする請求項１または２に記載の液体容器。
【請求項４】
前記隙間部は、前記液体少量供給部の周縁部を遮蔽体で覆うことで該周縁部と遮蔽体との間に形成されることを特徴とする請求項３に記載の液体容器。
【発明の詳細な説明】
【０００１】
【発明の属する技術分野】
本発明は、液体容器の構造に関し、特に、タンク内に液体を充填した液体容器に関するものである。
【０００２】
【従来の技術】
通常、化粧品用リムーバや接着剤プライマーなどの液体製品は、単純なタンクとキャップからなる容器に充填されて使用される。
これらの製品を使用する際には、化粧品用リムーバなどの場合は、タンクを傾けて内溶液を直接綿棒やティッシュペーパに含浸させて使用することが多く、また、接着剤プライマーなどでの場合は、小皿などに内溶液を滴下して綿棒やティッシュペーパに含浸させて使用することが多い。
【０００３】
しかしながら、上述した何れの場合でも液量は調整が難しく、かなり過剰の内溶液を消費してしまうという欠点がある。特に、含浸部分の外径が１ｍｍ程度の小型綿棒などを使用して微細な塗布を行なう場合などには、内溶液が過剰に消費されるという問題がある。
【０００４】
また、綿棒などで一部部位の化粧を落とす時などは、綿棒に過剰の液が含浸されると、使用中に液が垂れ落ちたり、綿棒を皮膚に接触して押圧したときに綿棒が圧縮されて液が溢れて垂れ落ちたりするという不具合がある。
【０００５】
【発明が解決しようとする課題】
上記問題点を解決するために、タンク内全体にスポンジなどの吸蔵体を設けた液体を含浸させたものが知られているが、この場合、内溶液の残量が確認できないという問題点があった。
【０００６】
本発明は、上記従来の問題点に鑑みてなされたものであって、綿棒やティッシュペーパなどに自然な毛細管力で吸収できる分量の内溶液を容易に含浸させることができる液体容器を提供することを目的とするものである。
【０００７】
【課題を解決するための手段】
本発明は、液体容器に係り、液体を収容するタンクと、前記タンク内部と外部とを連通する開口部と、前記タンク内部から前記開口部に亘り連続的に配設されて該タンク内の液体を前記開口部付近まで毛細管力により吸い上げることができる液体誘導体と、前記タンク内部と外部とを通気する通気孔と、前記タンク内の液体の揮発を防止するキャップと、前記開口部付近に液体を貯溜するための凹んだ液体少量供給部とを有し、前記液体誘導体から前記液体少量供給部に液体を誘導して、常に前記液体少量供給部に液体を貯溜することを特徴とするものである。
この構成によれば、液体容器の開口部近傍に設けられた液体少量供給部に常時液体を貯溜させて、該液体少量供給部から綿棒やティッシュペーパなどで貯溜した液体を適量含浸させることができるので、過剰に液体を消費することなく簡単にタンク内の液体を取出すことができる。
【０００８】
また、本発明は、前記液体少量供給部の構成として、前記液体誘導体の毛細管力よりも小さい毛細管力で貯溜した液体を保持するものとすることが好ましい。このように構成することで、液体誘導体から液体少量供給部に液体を過剰に誘導すること無く適量を該液体少量供給部に貯溜することができる。
【０００９】
また、本発明は、前記液体少量供給部の構成として、その周縁部に前記液体誘導体の軸線方向に対し略垂直方向に凹んだ隙間部を有するものとすることが好ましい。このように構成することで、毛細管力により隙間部に液体を保持できるので、用途に応じて隙間部を適宜に構成することで液体少量供給部の液体の貯溜量を最適に出来る。
【００１０】
また、本発明は、前記隙間部を、前記液体少量供給部の周縁部を遮蔽体で覆うことで該周縁部と遮蔽体との間に形成するものとすることが好ましい。このように構成することで、液体容器の開口部付近の形状を複雑にすること無く、簡単な構成で隙間部を形成することができる。
【００１１】
【発明の実施の形態】
以下、本発明の第１実施形態を、図面を参照して詳細に説明する。
図１〜図６は発明を実施する形態の一例であって、図１は、本発明の実施形態に係る液体容器の全体構成を示す側面断面図、図２は前記液体容器の液体誘導体を保持する中栓の構成を示す側面断面図、図３は図２のＡ矢視図、図４は前記液体容器の液体少量供給部の構成を示す詳細断面図、図５は図４のＢ矢視図、図６は前記液体少量供給部の液体の貯溜状態を示す拡大図である。
【００１２】
本実施形態の液体容器１は、図１に示すように、内部に中空部３ａを構成し内溶液２を収容するようにした円筒状のタンク３と、該タンク３の一部より円筒状に突設された液体供給部４とを備え、該液体供給部４の先端部に前記タンク３内部と外部とを連通する開口部５を形成し、前記タンク３内部から前記開口部５に亘り連続的に液体誘導体６を配設して、該タンク３内の内溶液２を前記開口部５付近まで毛細管力により吸い上げるように構成したものである。
【００１３】
前記液体供給部４には、開口部５を閉塞する栓機能を有するとともに液体誘導体６を前記開口部５付近に保持するための中栓９が嵌挿されている。また、前記液体供給部４には、該液体供給部４を覆うようにキャップ７が着脱自在に嵌合装着されている。前記キャップ７は、開口部５および該開口部５近傍に形成される通気孔８を覆うとともに前記液体供給部４の先端側を密閉して、タンク３内の内溶液２が開口部５や通気孔８から漏洩したり蒸発したりすることを防止している。
【００１４】
前記液体誘導体６は、多数の合成繊維束により略円柱状に構成され、前記中栓９に保持されてタンク３内のタンク底部３ｂ近傍から前記開口部５に亘り配設されている。また、前記液体誘導体６の開口部５付近に配設される先端部６ａが外力により変形しても復元可能に構成されている。
【００１５】
前記中栓９は、図１、図２に示すように、開口部５を閉塞するための蓋部９ａと液体誘導体６を保持するための保持部９ｂとを備えている。
前記蓋部９ａは、開口部５の孔径寸法よりも大きく、平面視で前記液体供給部４の先端部４ａの外形と略同形状を呈するとともに、側面視で段付き状に前記開口部５に嵌挿される保持部９ｂと一体的に形成されている。
【００１６】
前記中栓９は、図２、図３に示すように、タンク軸心方向に沿った略中央部に、前記蓋部９ａと保持部９ｂとを貫通して液体誘導体６を保持する連通孔９ｃが開口形成され、該連通孔９ｃに近接し且つ略平行に通気孔８が開口形成されている。
【００１７】
前記通気孔８を形成することでタンク３内部を外部に通気することを可能にして、タンク３内部の圧力が変動した場合、例えば、タンク３内部の内溶液が減少してタンク３内部の圧力が低下した場合に、前記通気孔８を介して減少した内溶液の分量だけ外部の空気をタンク３内部に取り込んで、タンク３内部の圧力を一定に保つようにしている。
【００１８】
前記蓋部９ａには、連通孔９ｃを中心に反通気孔８側に該連通孔９ｃに隣接して内部に凹んだ液体少量供給部２０が形成されている。
前記液体少量供給部２０は、図２、図３に示すように、蓋部９ａの中心側から外周側に向かい略扇状または銀杏葉状に湾入し、且つ蓋部９ａ上面より内部に凹んで形成されるとともに、その略扇状または銀杏葉状の頂点部に前記連通孔９ｃと連通するスリット状の隙間部２０ａが開口形成されている。
【００１９】
前記液体少量供給部２０は、図３、図５に示すように、平面視で前記隙間部２０ａを頂点として他に角部２０ｂ、２０ｃを有する略三角形状に形成されている。
前記隙間部２０ａおよび角部２０ｂ、２０ｃは、何れも角部を形成する２方の壁部が曲線的に形成され、その頂点から対辺側に向かい漸次拡開するように構成されている。
【００２０】
次に、本実施形態に係る液体容器１の作用について図面を参照して詳細に説明する。
液体容器１内に内溶液２が充填されている状態では、図１に示すように、液体誘導体６の毛細管力により常に液体誘導体６の先端部６ａまで内溶液２が含浸されている。
【００２１】
液体少量供給部２０おいては、図４、図５に示すように、液体誘導体６に接触する隙間部２０ａを通って内溶液２が導入され、毛細管力により該液体少量供給部２０内の側壁２０ｄや底部２０ｅに沿って該液体少量供給部２０内部に誘導される。
【００２２】
内溶液２は、最初に図６に示すような形状で液体少量供給部に濡れ広がり、最終的には図４、図５に示すように、毛細管力によってある曲面を形成して、常時液体少量供給部２０内の隙間部２０ａ、角部２０ｂ、２０ｃおよび側壁２０ｄと底部２０ｅとにより形成される角部２０ｆに保持される。この液体少量供給部２０に綿棒などの毛細管力のあるものを接触させて、その毛細管力分の内溶液を吸収させる。
【００２３】
また、液体少量供給部２０に貯溜される内溶液２は、綿棒等により取出されて減少すると、毛細管力により随時液体誘導体６より導入して常時所定量が貯溜するようにされている。この構造により、液体少量供給部２０に溜まった内溶液２は、強い毛細管力を持たない状態で保持されるため、吸収体の毛細管力によって単位時間あたりの吸収量が変化することがないものにすることができる。
【００２４】
一方、前記液体誘導体６においては、液体少量供給部２０に導入されて減少した分の内溶液２は、速やかに毛細管力によりタンク３内部から吸い上げられて補給され所定の含浸量に戻る。こうして、前記液体誘導体６は、次の内溶液２の供給に備えることができる。
【００２５】
また、タンク３内部においては、液体少量供給部２０に貯溜された分量の内溶液２が減少するためタンク３内部の圧力が低下するが、通気孔８を介してタンク３内で減少した容積分の空気が外部より供給されて、タンク３内部の圧力は一定に保たれる。
【００２６】
以上のように構成したので、本実施形態の液体容器１によれば、内溶液２を供給する開口部５近傍に液体少量供給部２０を設けたことで、液体誘導体６から直接内溶液２を供給できるだけでなく、毛細管力より液体少量供給部２０に内溶液２を所定量常時貯溜できるので、綿棒やティッシュペーパ等に内溶液２を定量的に含浸させることができる。しかも、内溶液２が液体少量供給部２０に常時貯溜されているので、小型の綿棒でも自然な毛細管力により液体を適宜に含浸させることができる。
【００２７】
尚、本実施形態では、液体少量供給部２０の形状を略扇状または銀杏葉状の三角形状として、その角部や隙間に液体を貯溜するようにしているが、本発明は液体少量供給部の形状に限定されるものではなく、例えば、平面視で矩形状を呈したものや、星形状、放射多角形状などの形状を呈するものであっても良い。
【００２８】
また、本実施形態では、液体誘導体６を多数の合成繊維束により略円柱状に構成しているが、本発明は、液体誘導体６の構成に限定されるものではなく、例えば、液体誘導体を繊維束棒状体やスポンジなどの多孔質体により構成したものであってもよい。
【００２９】
次に、本実施形態のその他の実施例について、図面を参照して説明する。
図７〜図１０は、発明の実施例の一つであって、図７は本発明に係る液体容器の中栓のその他の実施例の構成を示す側面断面図、図８は図７のＣ矢視図、図９は前記中栓に形成された液体少量供給部の構成を示す説明図、図１０は前記液体少量供給部における液体の貯溜状態を示す詳細部分断面図である。
なお、図中、前述した実施形態で説明した図面の符号と同一の符号を付した部分は、実施形態と同一物を表わし説明を省略するものとする。
【００３０】
本実施例の液体容器１０１は、図７〜図１０に示すように、概ね前述した実施形態の液体容器１と同様な構成を有する液体容器１０１において、液体供給部（図示省略）に設けられた中栓１０９の上面に液体少量供給部１２０が形成され、該中栓１０９の上部に前記液体少量供給部１２０の一部を覆う遮蔽体たる平板１３０を配設して、前記液体少量供給部１２０の底部１２０ｅと平板１３０との間にスリット状の隙間部１２１を設けたものである。
【００３１】
前記中栓１０９は、開口部５を閉塞するための蓋部１０９ａと液体誘導体（図示省略）を保持するための保持部１０９ｂとを備えている。
前記蓋部９ａは、開口部（図示省略）の孔径寸法よりも大きく、平面視で前記液体供給部の先端部（図示省略）の外形と略同形の円形状を呈するとともに、側面視で段付き状に保持部１０９ｂと一体的に形成されている。
【００３２】
また、前記中栓１０９は、図７、図９に示すように、その上部に円形状に凹んだ凹部１０９ａ１が形成されており、タンク軸心方向に沿った略中央部に、前記蓋部１０９ａと保持部１０９ｂとを貫通して液体誘導体を保持する連通孔１０９ｃが開口形成され、該連通孔１０９ｃに近接し且つ略平行に通気孔１０８が開口形成されている。
【００３３】
前記液体少量供給部１２０は、図９に示すように、蓋部１０９ａの中心側から外周側に向かい略扇状または銀杏葉状に湾入し、且つ蓋部１０９ａ上面より内部に凹んで形成されるとともに、その略扇状または銀杏葉状の頂点部に前記連通孔１０９ｃと連通するスリット状の隙間部１２０ａが開口形成されている。
【００３４】
前記液体少量供給部１２０は、図８、図９に示すように、平面視で前記隙間部１２０ａを頂点として他に角部１２０ｂ、１２０ｃを有する略三角形状に形成されている。前記隙間部１２０ａおよび角部１２０ｂ、１２０ｃは、何れも角部を形成する２方の壁部が曲線的に形成され、その頂点から対辺側に向かい漸次拡開するように構成されている。
【００３５】
前記平板１３０は、中栓１０９上部の蓋部１０９ａに円形状に凹んで形成された凹部１０９ａ１と略同形状の円板状を呈し、中栓１０９に形成された連通孔１０９ｃと通気孔１０８に対向する位置に連通孔１３９ｃと通気孔１３８が開口形成され、前記液体少量供給部１２０と対向する位置に該液体少量供給部１２０の周縁部を覆うように、液体少量供給部１２０の開口面積よりも小さい開口部１３１が形成されている。
【００３６】
前記液体少量供給部１２０の側壁１２０ｄの周縁には、図１０に示すように、前記中栓１０９の上面に前記平板１３０を配設した状態で、液体少量供給部１２０の底部１２０ｅと前記平板１３０の開口部１３１の周縁部１３１ａとの間に隙間部１２１が形成されている。前記隙間部１２１は、液体誘導体の軸線方向に対し略垂直方向にスリット状に凹んで構成されている。
【００３７】
次に、本実施例の液体容器１０１の作用について、図面を参照して説明する。図９、図１０に示すように、中栓１０９に形成された凹部１０９ａ１に平板１３０を、中栓１０９および平板１３０に形成される通気孔１０８、１３８と連通孔１０９ｃ、１３９ｃおよび、液体少量供給部１２０と開口部１３１とを各々対向させて、凹部１０９ａ１に平板１３０を密着配置されている。
【００３８】
液体容器１０１内に内溶液２が充填されている状態では、図１に示す前述した実施形態と同様に、液体誘導体６の毛細管力により常に液体誘導体６の先端部６ａまで内溶液２が含浸されている。
【００３９】
液体少量供給部１２０おいては、液体誘導体６に接触する隙間部１２０ａを通って内溶液２が導入され、毛細管力により該液体少量供給部１２０内の側壁２０ｄや底部２０ｅに沿って該液体少量供給部２０内部に誘導される。
【００４０】
前記液体少量供給部１２０内部に導入された内溶液２は、該液体少量供給部１２０の周縁部においては、図１０に示すように、液体少量供給部１２０の底部１２０ｅと平板１３０の開口部１３１の周縁部１３１ａとの間に形成される隙間部１２１に毛細管力により誘導されて貯溜される。
このように、液体少量供給部１２０に貯溜される内溶液２は、液体少量供給部１２０の周縁部に形成される隙間部１２１の量により決定されるわけである。
【００４１】
以上のように構成したので、本実施例の液体容器１０１によれば、平板１３０の開口部１３１の形状にならって内溶液２が液体少量供給部１２０に導入されるので、液体少量供給部１２０を設計する際に予め必要液量の調整を行なうことができる。
【００４２】
また、本実施例によれば、中栓１０９に別体で構成された平板１３０を配設して隙間部１２１を形成したので、中栓１０９の形状を複雑にすること無く簡単な構成で隙間部１２１を形成できる。また、中栓１０９に組込まれる平板の液体少量供給部に対向する開口部の形状を変更することで、中栓１０９の形状を変更することなく容易に内溶液２の貯溜量を調整することができる。
【００４３】
尚、本発明は、液体少量供給部に形成される隙間部の構成する方法に限定されるものではなく、例えば、中栓に形成される液体少量供給部の周縁部に一体的に形成するものであってもよい。構成によると構成部品の削減を図ることで、生産性の向上を図るとともに、組立て工数の削減を図ることができる。
【００４４】
さらに、本発明の液体容器は、上述した図示例にのみ限定されるものではなく、本発明の要旨を逸脱しない範囲内において種々変更を加え得ることは勿論である。
【００４５】
【発明の効果】
以上、説明したように本発明の請求項１〜４に記載の液体容器によれば、簡単な構成で、綿棒やティッシュペーパなどに、過剰に供給すること無く、自然な毛細管力で吸収できる分量の内溶液を容易に含浸させることができるという優れた効果を奏する。
【００４６】
詳しくは、本発明によれば、液体を収容するタンクと、前記タンク内部と外部とを連通する開口部と、前記タンク内部から前記開口部に亘り連続的に配設されて該タンク内の液体を前記開口部付近まで毛細管力により吸い上げることができる液体誘導体と、前記タンク内部と外部とを通気する通気孔と、前記タンク内の液体の揮発を防止するキャップを有し、前記開口部付近に液体を貯溜するための凹んだ液体少量供給部を形成することで、前記液体誘導体から毛細管力により前記液体少量供給部に液体を誘導して、常に前記液体少量供給部に液体を貯溜することができる。これにより、液体容器の開口部近傍に設けられた液体少量供給部に常時液体を貯溜させて、該液体少量供給部から綿棒やティッシュペーパなどで貯溜した液体を適量含浸させることができるので、過剰に液体を消費することなく簡単にタンク内の液体を取出すことができる。
【００４７】
また、本発明によれば、前記液体少量供給部の構成として、前記液体誘導体の毛細管力よりも小さい毛細管力で貯溜した液体を保持することで、液体誘導体から液体少量供給部に液体を過剰に誘導すること無く適量を該液体少量供給部に貯溜することができる。
【００４８】
また、本発明によれば、前記液体少量供給部の構成として、その周縁部に前記液体誘導体の軸線方向に対し略垂直方向に凹んだ隙間部を有するものとすることで、毛細管力により隙間部に液体を保持できるので、用途に応じて隙間部を適宜に構成することで液体少量供給部の液体の貯溜量を最適に出来る。
【００４９】
また、本発明によれば、前記液体少量供給部の周縁部を別体で構成される遮蔽体で覆うことで該周縁部と遮蔽体との間に隙間部を形成することで、液体容器の開口部付近の形状を複雑にすること無く、簡単な構成で隙間部を形成することができる。
以上のような顕著な効果を奏する。
【図面の簡単な説明】
【図１】本発明の実施形態に係る液体容器の全体構成を示す側面断面図である。
【図２】前記液体容器の液体誘導体を保持する中栓の構成を示す側面断面図である。
【図３】図２のＡ矢視図である。
【図４】前記液体容器の液体少量供給部の構成を示す詳細断面図である。
【図５】図４のＢ矢視図である。
【図６】前記液体少量供給部の液体の貯溜状態を示す拡大図である。
【図７】本発明に係る液体容器の中栓のその他の実施例の構成を示す側面断面図である。
【図８】図７のＣ矢視図である。
【図９】前記中栓に形成された液体少量供給部の構成を示す説明図である。
【図１０】前記液体少量供給部における液体の貯溜状態を示す詳細部分断面図である。
【符号の説明】
１、１０１　液体容器
２　内溶液
３　タンク
４　液体供給部
５　開口部
６　液体誘導体
７　キャップ
８、１３８、１０８　通気孔
９、１０９　中栓
２０、１２０　液体少量供給部
２０ａ、１２０ａ　隙間部
１２１　隙間部
１３０　平板
１３１　開口部
１３１ａ　周縁部
【図１】
2004010154.tif 000003
【図２】
2004010154.tif 000004
【図３】
2004010154.tif 000005
【図４】
2004010154.tif 000006
【図５】
2004010154.tif 000007
【図６】
2004010154.tif 000008
【図７】
2004010154.tif 000009
【図８】
2004010154.tif 000010
【図９】
2004010154.tif 000011
【図１０】
2004010154.tif 000012